(57)【要約】      （修正有）【課題】電池パックが装着される携帯型パソコンに関し、ラッチに関連する構造部分が携帯型パソコンの内部へ突き出さないようにする。【解決手段】本体部３１の電池パック収容部３７の端の壁には、ガイドレールが形成してある。ラッチ凹部は、ガイドレールの一部を切り欠いて形成してある。電池パック５０の端面には、ガイド溝が形成してあり、且つラッチ爪が設けてある。電池パック５０は電池パック収容部３７に押し込まれて装着される。ラッチ爪はラッチ凹部に掛け止めされる。ラッチのための機構のスペースは、ガイドレールの突き出し寸法ｂの範囲内にとどまる。【選択図】図４
2010157255.tif 000002
【特許請求の範囲】
【請求項１】
情報処理装置本体と、該情報処理装置本体に着脱可能に装着される着脱ユニットを備える情報処理装置において、
前記情報処理装置本体は、
前記収容部の両端側の壁より前記収容部に突き出て、且つ、前記着脱ユニットの装着される方向に延在するガイドレールと、前記ガイドレールの一部が切り欠かれて、該ガイドレールの途中に形成されたラッチ掛け部と、を有する収容部を備え、
前記着脱ユニットは、
前記収容部のガイドレールに嵌合されるガイド溝と、前記収容部のラッチ掛け部に係合されるラッチ爪とを有し、前記収容部に装着される、
ことを特徴とする情報処理装置。
【請求項２】
情報処理装置本体と、該情報処理装置本体に着脱可能に装着される着脱ユニットを備える情報処理装置において、
前記情報処理装置本体は、
ガイド溝とラッチ掛け部を有する収容部を有し、
前記収容部の両端側の壁に前記収容部より凹んで、且つ、前記着脱ユニットの装着される方向に延在するガイド溝と、前記ガイド溝の一部を埋める凸部によって、該ガイド溝の内部に該ガイド溝の深さ範囲内に設けられたラッチ掛け部と、を有する収容部を備え、
前記着脱ユニットは、
前記情報処理装置本体のガイド溝に嵌合されるガイドレールと、前記ラッチ掛け部に係合されるラッチ爪とを有し、前記収容部に装着される、
ことを特徴とする情報処理装置。
【請求項３】
前記収容部は、前記着脱ユニットのコネクタが接続される情報処理装置側コネクタを有し、且つ、前記情報処理装置側コネクタの両側に、前記着脱ユニットの前記コネクタの両側に形成してある凹部に嵌合される凸部を有する、ことを特徴とする請求項１又は２記載の情報処理装置。
【請求項４】
前記着脱ユニットは、
前記収容部の両端側の壁の間隔に適合する長さの本体部と、
前記ラッチ爪を前記ラッチ掛け部から抜け出させる操作を行うノブと、を有し、
前記本体部は、前記ノブに対して着脱ユニットが前記収容部から外す場合に移動される方向の側の部位に膨らみ部を有することを特徴とする請求項１乃至３のいずれか１項に記載の情報処理装置。
【請求項５】
前記着脱ユニットは、電池を内蔵することを特徴とする請求項１乃至４のいずれか１項に記載の情報処理装置。
【請求項６】
ガイドレールとラッチ掛け部を有する収容部を備えた情報処理装置の該収容部に挿入されて装着される着脱ユニットであり、
前記ガイドレールは、前記収容部の両端側の壁より前記収容部に突き出て、且つ、前記着脱ユニットが着脱される方向に延在しており、
前記ラッチ掛け部は、前記収容部の入り口に対し奥側となる前記ガイドレールの一部が切り欠かれて形成されており、
前記ガイドレールに嵌合するガイド溝と、
前記収容部に対する前記着脱ユニットの装着方向で前記ガイド溝に並び、前記ラッチ掛け部に係合されるラッチ爪と、
を有することを特徴とする着脱ユニット。
【請求項７】
ガイド溝とラッチ掛け部を有する収容部を備えた情報処理装置の該収容部に挿入されて装着される着脱ユニットであり、
前記ガイド溝は、前記収容部の両端側の壁に前記収容部より凹んで、且つ、前記着脱ユニットの装着される方向に延在し、
前記ラッチ掛け部は、前記ガイド溝の一部を埋める凸部によって、該ガイド溝の内部に該ガイド溝の深さ範囲内に設けられ、
前記ガイド溝に嵌合するガイドレールと、
前記ラッチ掛け部に係合されるラッチ爪とを有し、
前記ラッチ爪は、前記ラッチ掛け部に嵌合するサイズであり、且つ、前記ガイドレールと整列して、着脱ユニットを装着するときに、前記ガイド溝に前記ガイドレールよりも先に嵌合する部位に設けてある、
ことを特徴とする着脱ユニット。
【請求項８】
前記収容部は、前記着脱ユニットのコネクタが接続される情報処理装置側コネクタとその両側に形成された凹部を有し、
前記収容部に装着されたときに、前記情報処理装置側コネクタに接続されるコネクタと、前記凹部に嵌合される凸部とを有する、ことを特徴とする請求項６又は７記載の着脱ユニット。
【請求項９】
前記収容部の両端側の壁の間隔に適合する長さの本体部と、
前記ラッチ爪を前記ラッチ掛け部から抜け出させる操作を行うノブと、を有し、
前記本体部は、前記ノブに対して着脱ユニットが前記収容部から外す場合に移動される方向の側の部位に膨らみ部を有することを特徴とする請求項６乃至８のいずれか１項に記載の着脱ユニット。
【請求項１０】
前記着脱ユニットは、電池を内蔵することを特徴とする請求項６乃至９のいずれか１項に記載の着脱ユニット。
【発明の詳細な説明】
【技術分野】
【０００１】
本発明は情報処理装置及び着脱ユニットに係り、特に、電池パックが装着される携帯型パソコン及び携帯型パソコンに装着される電池パックに関する。
【０００２】
携帯型のパソコンは外形サイズが制限されている状況で、機能の向上が図られており、本体部の内部に種々の電子部品が高密度に組み込まれている。よって、電池パックを装着する構造は、本体部の内部空間への突き出しが無い構成であることが望ましい。
【背景技術】
【０００３】
図１（Ａ），（Ｂ），（Ｃ）は従来の電池パック装着構造を示す。図１（Ａ）は携帯型のパソコン１０を裏返して示す。Ｙ１−Ｙ２が奥行き方向、Ｘ１−Ｘ２が幅方向、Ｚ１−Ｚ２が高さ方向である。携帯型のパソコン１０は、本体部１１と開閉可能である液晶表示部１２とを有し、電池パック２０が本体部１１の凹状の電池パック収容部１３に嵌合して、コネクタ２１をコネクタ１４と接続されて、装着されている構成である。
【０００４】
電池パック収容部１３のＸ１−Ｘ２方向の端の壁１４には、図１（Ｂ）及び図２（Ａ）に示すように、ガイドレール１５及びラッチ孔１６が形成してある。
【０００５】
電池パック２０の端面２２には、図１（Ｂ）及び図２（Ａ）に示すように、ガイド溝２３が形成してあり、且つラッチ爪２４が設けてある。
【０００６】
電池パック２０は、ガイド溝２３をガイドレール１５に嵌合して案内されてＹ１方向に挿入され、ラッチ爪２４が押し込まれ、電池パック収容部１３内に収容されて、図２（Ｂ）に示すように、突き出たラッチ爪２４がラッチ孔１６に掛け止めされて装着されている。
【０００７】
上記のラッチ孔１６の部分には、ごみの侵入を防ぐための箱型の壁１７が本体部１１の内部側に突き出して形成されている。
【０００８】
電池パック２０についてみると、ラッチ爪２４はガイド溝２３のＹ１方向の端よりＹ１方向側に配置してあり、ラッチ爪２４は、電池パック２０の端面２２から突き出している。
【発明の概要】
【発明が解決しようとする課題】
【０００９】
箱型の壁１７が本体部１１の内部側に突き出して形成されているため、箱型の壁１７が突き出している寸法ａ分、本体部１１の内部の空間１８が狭くなってしまっていた。このため、電子部品によっては、電子部品を空間１８内に組み込むことが困難となる場合もあった。
【００１０】
また、ラッチ爪２４はガイド溝２３のＹ１方向の端よりＹ１方向側に設けてあるため、電池パック２０を電池パック収容部１３内に押し込むときに、ガイド溝２３がガイドレール１５に嵌合するより以前に、ラッチ爪２４が壁１４に当たる。このため、電池パック２０の位置が定まらない状態で抵抗を受けることになり、電池パック２０の位置が上下方向にずれてガイド溝２３がガイドレール１５に嵌合し難くなり、電池パック２０を電池パック収容部１３内に挿入を開始する動作が円滑に行われにくかった。
【００１１】
また、電池パック２０の下面２５が平面であり、指先が滑って引っかかり難く、よって、電池パック２０を取り外す操作がし難かった。
【００１２】
そこで、本発明は、上記課題を解決した情報処理装置及び着脱ユニットを提供することを目的とする。
【課題を解決するための手段】
【００１３】
本発明は、情報処理装置本体と、該情報処理装置本体に着脱可能に装着される着脱ユニットを備える情報処理装置において、前記情報処理装置本体は、前記収容部の両端側の壁より前記収容部に突き出て、且つ、前記着脱ユニットの装着される方向に延在するガイドレールと、前記ガイドレールの一部が切り欠かれて、該ガイドレールの途中に形成されたラッチ掛け部と、を有する収容部を備え、前記着脱ユニットは、前記収容部のガイドレールに嵌合されるガイド溝と、前記収容部のラッチ掛け部に係合されるラッチ爪とを有し、前記収容部に装着される、ことを特徴とする。
【００１４】
また、本発明は、情報処理装置本体と、該情報処理装置本体に着脱可能に装着される着脱ユニットを備える情報処理装置において、前記情報処理装置本体は、ガイド溝とラッチ掛け部を有する収容部を有し、前記収容部の両端側の壁に前記収容部より凹んで、且つ、前記着脱ユニットの装着される方向に延在するガイド溝と、前記ガイド溝の一部を埋める凸部によって、該ガイド溝の内部に該ガイド溝の深さ範囲内に設けられたラッチ掛け部と、を有する収容部を備え、前記着脱ユニットは、前記情報処理装置本体のガイド溝に嵌合されるガイドレールと、前記ラッチ掛け部に係合されるラッチ爪とを有し、前記収容部に装着される、ことを特徴とする。
【００１５】
また、本発明は、前記収容部は、前記着脱ユニットのコネクタが接続される情報処理装置側コネクタを有し、且つ、前記情報処理装置側コネクタの両側に、前記着脱ユニットの前記コネクタの両側に形成してある凹部に嵌合される凸部を有する、ことを特徴とする。
【００１６】
また、本発明は、前記着脱ユニットは、前記収容部の両端側の壁の間隔に適合する長さの本体部と、前記ラッチ爪を前記ラッチ掛け部から抜け出させる操作を行うノブと、を有し、前記本体部は、前記ノブに対して着脱ユニットが前記収容部から外す場合に移動される方向の側の部位に膨らみ部を有することを特徴とする。
【００１７】
また、本発明は、前記着脱ユニットは、電池を内蔵することを特徴とする。
【００１８】
また、本発明は、ガイドレールとラッチ掛け部を有する収容部を備えた情報処理装置の該収容部に挿入されて装着される着脱ユニットであり、前記ガイドレールは、前記収容部の両端側の壁より前記収容部に突き出て、且つ、前記着脱ユニットが着脱される方向に延在しており、前記ラッチ掛け部は、前記収容部の入り口に対し奥側となる前記ガイドレールの一部が切り欠かれて形成されており、前記ガイドレールに嵌合するガイド溝と、前記収容部に対する前記着脱ユニットの装着方向で前記ガイド溝に並び、前記ラッチ掛け部に係合されるラッチ爪と、を有することを特徴とする。
【００１９】
また、本発明は、ガイド溝とラッチ掛け部を有する収容部を備えた情報処理装置の該収容部に挿入されて装着される着脱ユニットであり、前記ガイド溝は、前記収容部の両端側の壁に前記収容部より凹んで、且つ、前記着脱ユニットの装着される方向に延在し、前記ラッチ掛け部は、前記ガイド溝の一部を埋める凸部によって、該ガイド溝の内部に該ガイド溝の深さ範囲内に設けられ、前記ガイド溝に嵌合するガイドレールと、前記ラッチ掛け部に係合されるラッチ爪とを有し、前記ラッチ爪は、前記ラッチ掛け部に嵌合するサイズであり、且つ、前記ガイドレールと整列して、着脱ユニットを装着するときに、前記ガイド溝に前記ガイドレールよりも先に嵌合する部位に設けてある、ことを特徴とする。
【００２０】
また、本発明は、前記収容部は、前記着脱ユニットのコネクタが接続される情報処理装置側コネクタとその両側に形成された凹部を有し、前記収容部に装着されたときに、前記情報処理装置側コネクタに接続されるコネクタと、前記凹部に嵌合される凸部とを有する、ことを特徴とする。
【００２１】
また、本発明は、前記収容部の両端側の壁の間隔に適合する長さの本体部と、前記ラッチ爪を前記ラッチ掛け部から抜け出させる操作を行うノブと、を有し、前記本体部は、前記ノブに対して着脱ユニットが前記収容部から外す場合に移動される方向の側の部位に膨らみ部を有することを特徴とする。
【００２２】
また、本発明は、前記着脱ユニットは、電池を内蔵することを特徴とする。
【００２３】
即ち、第１の発明は、ガイド溝とガイドレールとが嵌合し、ラッチ爪がラッチ掛け部に係合して、着脱ユニットが収容部に装着される情報処理装置であって、上記情報処理装置の収容部は、ガイドレールと、該ガイドレールの突き出し範囲内に形成されたラッチ掛け部と、を備える構成である。
【００２４】
ラッチのための機構が占めるスペースがガイドレールの突き出し範囲内に限られる。よって、情報処理装置の内部の空間内への出っ張りが無くなり、情報処理装置の内部の空間を従来よりも広くなり、従来よりもサイズを大きい電子部品を空間内に組み込むことが可能となる。
【００２５】
第２の発明は、ガイド溝とガイドレールとが嵌合し、ラッチ爪がラッチ掛け部に係合して、着脱ユニットが収容部に装着される情報処理装置であって、上記情報処理装置の収容部は、ガイド溝と、該ガイド溝の深さ範囲内に形成されたラッチ掛け部と、を備える構成である。
【００２６】
ラッチのための機構が占めるスペースがガイド溝の深さ範囲内に限られる。よって、情報処理装置の内部の空間は従来よりも広くなり、従来よりもサイズを大きい電子部品を空間内に組み込むことが可能となる。また、着脱ユニットは内部への出っ張りが無くなり、着脱ユニットの内部の空間は従来に比べて広くなる。
【００２７】
第３の発明は、第１の発明に記載の情報処理装置であって、上記ラッチ掛け部を上記ガイドレールの途中に備えた構成である。
【００２８】
着脱ユニットについてみるとラッチ爪がガイド溝の途中に配置された構成となり、よって、着脱ユニットを挿入して装着を行うときに、ラッチ爪がガイドレールに当たるのは、ガイド溝がガイドレールに嵌合を開始した後となる。よって、操作者が着脱ユニットを掴んで情報処理装置の収容部に挿入する過程でラッチ爪がガイドレールに当たって負荷を感じるときには、ガイド溝がガイドレールに嵌合していて着脱ユニットの位置は規制されており、着脱ユニットを装着する動作は円滑に行われる。
【００２９】
第４の発明は、第２の発明に記載の情報処理装置であって、上記ラッチ掛け部を上記ガイド溝の内部に備えた構成である。
【００３０】
着脱ユニットについてみると、着脱ユニットを挿入して装着を行うときに、ラッチ爪が掛け部を乗り越えるのは、ガイドレールがガイド溝に嵌合しているときである。よって、操作者が着脱ユニットを掴んで情報処理装置の収容部に挿入する過程でラッチ爪が掛け部を乗り越えるときに負荷を感じるときには、ガイドレールがガイド溝に嵌合していて着脱ユニットの位置は規制されており、着脱ユニットを装着する動作は円滑に行われる。また、負荷を感じるときは着脱ユニットが収容部に途中まで挿入された状態であり、着脱ユニットを装着する動作は円滑に行われる。
【００３１】
第５の発明は、ガイド溝とガイドレールとが嵌合し、ラッチ爪がラッチ掛け部に係合して、着脱ユニットが収容部に装着され、該着脱ユニットに備えられたコネクタが該収容部に備えられたコネクタと接続されて装着される情報処理装置であって、上記情報処理装置は、情報処理装置に備えられたコネクタの両側に、上記着脱ユニットの着脱ユニット側コネクタの両側に形成してある凹部に嵌合する凸部を有する構成である。
【００３２】
凹部の凸部への嵌合は、外部から着脱ユニットを反らすような力が作用した場合でも、着脱ユニット側コネクタが情報処理装置側コネクタに対して相対的にずれることが起きないようになる。よって、着脱ユニット側コネクタと情報処理装置側コネクタとの接続の安定性が良好となる。
【００３３】
第６の発明は、情報処理装置のラッチ掛け部を有する収容部に挿入されて装着される着脱ユニットにおいて、ラッチ爪をラッチ掛け部から抜け出させる操作を行うノブの近傍に膨らみ部を有する構成としたものである。
【００３４】
ノブの近傍の膨らみ部は、ノブを操作している指先に着脱ユニットを収容部から抜く方向の力をかけた場合に、指先が引っ掛かり易くなり、指先の力を着脱ユニットに作用させやすくなり、着脱ユニットを収容部から取り外すことが容易となる。
【００３５】
第７の発明は、情報処理装置のガイドレール及びラッチ掛け部を有する収容部に挿入されて装着される着脱ユニットにおいて、ラッチ掛け部に係合するラッチ爪を、上記ガイドレールに嵌合するガイド溝の内部に有する構成としたものである。
【００３６】
ラッチ爪がガイド溝の内部に隠れているため、ラッチ爪が露出している構成に比べて、着脱ユニットを取り扱っているときに、ラッチ爪でもって指を引っ掻いたりする虞れが無くなる。
【００３７】
第８の発明は、情報処理装置に備えられた、ガイド溝及びラッチ掛け部を有する収容部に挿入されて装着される着脱ユニットであって、ラッチ掛け部に係合するラッチ爪を、上記ガイド溝に嵌合するガイドレールの、該着脱ユニットを上記収容部へ挿入する場合の進行方向側に備える構成である。
【００３８】
着脱ユニットを挿入して装着を行うときに、ラッチ爪が掛け部を乗り越えるのは、ガイドレールがガイド溝に嵌合しているときであり、着脱ユニットの位置は規制されており、着脱ユニットを装着する動作は円滑に行われる。
【発明の効果】
【００３９】
以上説明したように、第１の発明は、ガイド溝とガイドレールとが嵌合し、ラッチ爪がラッチ掛け部に係合して、着脱ユニットが収容部に装着される情報処理装置であって、上記情報処理装置の収容部は、ガイドレールと、該ガイドレールの突き出し範囲内に形成されたラッチ掛け部とを備える構成であるため、ラッチのための機構が占めるスペースをガイドレールの突き出し範囲内に限られるように出来、よって、情報処理装置の内部の空間内への出っ張りが無くなり、情報処理装置の内部の空間を従来よりも広くなり、従来よりもサイズを大きい電子部品を空間内に組み込むことが出来る。
【００４０】
第２の発明は、ガイド溝とガイドレールとが嵌合し、ラッチ爪がラッチ掛け部に係合して、着脱ユニットが収容部に装着される情報処理装置であって、上記情報処理装置の収容部は、ガイド溝と、該ガイド溝の深さ範囲内に形成されたラッチ掛け部とを備える構成であるため、ラッチのための機構が占めるスペースがガイド溝の深さ範囲内に限られるように出来、よって、情報処理装置の内部の空間は従来よりも広くなり、従来よりもサイズを大きい電子部品を空間内に組み込むことが出来る。また、着脱ユニットは内部への出っ張りが無くなり、着脱ユニットの内部の空間を従来に比べて広く出来る。
【００４１】
第３の発明は、第１の発明に記載の情報処理装置であって、上記ラッチ掛け部を上記ガイドレールの途中に備えた構成であるため、着脱ユニットについてみるとラッチ爪がガイド溝の途中に配置された構成となり、よって、着脱ユニットを挿入して装着を行うときに、ラッチ爪がガイドレールに当たるのは、ガイド溝がガイドレールに嵌合を開始した後となり、よって、操作者が着脱ユニットを掴んで情報処理装置の収容部に挿入する過程でラッチ爪がガイドレールに当たって負荷を感じるときには、ガイド溝がガイドレールに嵌合していて着脱ユニットの位置は規制されており、着脱ユニットを装着する動作は円滑に行うことが出来る。
【００４２】
第４の発明は、第２の発明に記載の情報処理装置であって、上記ラッチ掛け部を上記ガイド溝の内部に備えた構成であるため、着脱ユニットについてみると、着脱ユニットを挿入して装着を行うときに、ラッチ爪が掛け部を乗り越えるのは、ガイドレールがガイド溝に嵌合しているときとなり、よって、操作者が着脱ユニットを掴んで情報処理装置の収容部に挿入する過程でラッチ爪が掛け部を乗り越えるときに負荷を感じるときには、ガイドレールがガイド溝に嵌合していて着脱ユニットの位置は規制されており、着脱ユニットを装着する動作は円滑に行うことが出来る。また、負荷を感じるときは着脱ユニットが収容部の奥まで挿入された状態であり、着脱ユニットを装着する動作を円滑に行うことが出来る。
【００４３】
第５の発明は、ガイド溝とガイドレールとが嵌合し、ラッチ爪がラッチ掛け部に係合して、着脱ユニットが収容部に装着され、該着脱ユニットに備えられたコネクタが該収容部に備えられたコネクタと接続されて装着される情報処理装置であって、上記情報処理装置は、情報処理装置に備えられたコネクタの両側に、上記着脱ユニットの着脱ユニット側コネクタの両側に形成してある凹部に嵌合する凸部を有する構成であるため、凹部の凸部への嵌合によって、外部から着脱ユニットを反らすような力が作用した場合でも、着脱ユニット側コネクタが情報処理装置側コネクタに対して相対的にずれることが起きないようになり、よって、着脱ユニット側コネクタと情報処理装置側コネクタとの接続の安定性を良好に出来る。
【００４４】
第６の発明は、情報処理装置のラッチ掛け部を有する収容部に挿入されて装着される着脱ユニットにおいて、ラッチ爪をラッチ掛け部から抜け出させる操作を行うノブの近傍に膨らみ部を有する構成としたものであるため、ノブの近傍の膨らみ部は、ノブを操作している指先に着脱ユニットを収容部から抜く方向の力をかけた場合に、指先が引っ掛かり易くなり、指先の力を着脱ユニットに作用させやすくなり、着脱ユニットを収容部から取り外すことが容易に行うことが出来る。
【００４５】
第７の発明は、情報処理装置のガイドレール及びラッチ掛け部を有する収容部に挿入されて装着される着脱ユニットにおいて、ラッチ掛け部に係合するラッチ爪を、上記ガイドレールに嵌合するガイド溝の内部に有する構成としたものであるため、ラッチ爪がガイド溝の内部に隠れているため、ラッチ爪が露出している構成に比べて、着脱ユニットを取り扱っているときに、ラッチ爪でもって指を引っ掻いたりする虞れを無くすることが出来る。
【００４６】
第８の発明は、情報処理装置に備えられた、ガイド溝及びラッチ掛け部を有する収容部に挿入されて装着される着脱ユニットであって、ラッチ掛け部に係合するラッチ爪を、上記ガイド溝に嵌合するガイドレールの、該着脱ユニットを上記収容部へ挿入する場合の進行方向側に備える構成であるため、着脱ユニットを挿入して装着を行うときに、ラッチ爪が掛け部を乗り越えるのは、ガイドレールがガイド溝に嵌合しているときであり、着脱ユニットの位置は規制されており、よって、着脱ユニットを装着する動作を円滑に行うことが出来る。
【図面の簡単な説明】
【００４７】
【図１】従来の電池パック装着構造を示す図である。
【図２】電池パックの装着前の状態及び装着したときの状態を示す図である。
【図３】本発明の一実施例の電池パック装着構造が適用してある携帯型パソコンを示す図である。
【図４】本発明の一実施例の電池パック装着構造を示す図である。
【図５】図４中、円Ｖで囲んだ部分を拡大して示す図である。
【図６】図４中、円ＶＩで囲んだ部分を拡大して示す図である。
【図７】電池パックの装着前の状態及び装着したときの状態を示す図である。
【図８】コネクタを示す図である。
【図９】本発明の別の実施例の電池パック装着構造を示す図である。
【図１０】電池パックの装着前の状態及び装着したときの状態を示す図である。
【発明を実施するための形態】
【００４８】
図３及び図４（Ａ）、（Ｂ）は本発明の一実施例になる電池パック装着構造及びこれが適用してある携帯型のパソコン３０を示す。図４（Ａ）、（Ｂ）は、携帯型のパソコン３０を裏返して示す。Ｙ１−Ｙ２が奥行き方向、Ｘ１−Ｘ２が幅方向、Ｚ１−Ｚ２が高さ方向である。携帯型のパソコン３０は、本体部３１と、本体部３１の奥方の軸支部３３によって本体部３１に対して開閉可能に支持されている液晶表示部３４とを有する。液晶表示部３４は、本体部３０上に倒されて閉じた状態と起こされて開いた状態とをとり、その液晶表示面３５は、閉じた状態では隠され、開いた状態では露出する。本体部３１は、内部に情報処理部としてのＣＰＵ等を有し、上面にキーボード部３６を有する。本体部３１の手前側には、複数本の電池が収容してある電池パック５０を装着するための電池パック収容部３７が本体部３１の手前側の面３８に対して凹状に形成してある。電池パック５０は電池パック収容部３７に丁度収まって装着され、コネクタ５１がコネクタ３９と接続されている。
【００４９】
本体部３２は、Ｙ２方向端のＸ１方向端及びＸ２方向端に、凹状の電池パック収容部３７によって相対的に形成されて、Ｙ２方向に張り出している張り出し部４０，４１を有する。
【００５０】
次に電池パック装着構造について説明する。
【００５１】
図５（Ａ），（Ｂ）に示すように、本体部３１の電池パック収容部３７のＸ１−Ｘ２方向の端の壁４２には、図５（Ａ）、（Ｂ）に示すように、ガイドレール４３及びラッチ凹部４４が形成してある。ガイドレール４３は、壁４２から電池パック収容部３７内に寸法ｂ突き出して、Ｙ１−Ｙ２方向に延在して形成してある。ラッチ掛け部としてのラッチ凹部４４は、ガイドレール４３の一部を切り欠いて形成してある。ガイドレール４３のＹ２方向端は、傾斜面４５であり、ラッチ爪５４が後退し易い。
【００５２】
図６（Ａ），（Ｂ）に示すように、電池パック５０の端面５２には、ガイド溝５３が形成してあり、且つラッチ爪５４が設けてある。ガイド溝５３はＹ１−Ｙ２方向に延在している。ラッチ爪５４は、ガイド溝５３の内部に位置しており、ガイド溝５３のＹ１方向の端よりＹ２方向側に配置してあり、且つ、ラッチ爪５４の先端５４ａは電池パック５０の端面５２より突き出してはいない。ガイド溝５３のＹ１方向の端５３ａは、テーパ状となっており、ガイドレール４３との嵌合がし易い。
【００５３】
なお、ラッチ爪５４は、電池パック５０の前面５５の凹部５６内に、Ｘ１−Ｘ２方向に移動可能に設けてあり、ばね（図示せず）によってＸ１方向に付勢されているラッチ爪部材５７に形成されている。
【００５４】
電池パック５０を装着する操作は、図４（Ｂ）及び図７（Ａ）に示すように、操作者が手で電池パック５０を掴み、電池パック収容部３７に対向させ、Ｙ１方向にガツンと止まる位置まで押す操作をすることによって行われる。
【００５５】
この操作によって、ガイド溝５３がガイドレール４３に嵌合されて案内されてＹ１方向に挿入され、図７（Ｂ）に示すように、突き出たラッチ爪５４がラッチ凹部４４に掛け止めされて装着が完了する。
【００５６】
図７（Ａ）、（Ｂ）から分かるように、ラッチのための機構が占めるスペースは、ガイドレール４３の突き出し寸法ｂの範囲内にとどまっている。壁４２から空間４５内への突き出しはない。よって、張り出し部４１（４０）は、壁４２と本体部３１の側壁４４との間の幅がｗの空間４５が最大に利用可能な状態にあり、張り出し部４１（４０）の内部には、幅寸法ｃが上記の幅ｗと略等しいサイズのスピーカ４６が組み込まれている。
【００５７】
電池パック５０を装着する過程で、ラッチ爪５４はガイドレール４３によって押されて一旦Ｘ１方向に押されて後退し、その後に突き出て、ラッチ凹部４４に嵌合する。
【００５８】
また、ラッチ爪５４はガイド溝５３のＹ１方向の端よりＹ２方向側に配置してあるため、ガイド溝５３のＹ１方向の端のガイドレール４３のＹ２方向の端への嵌合は、ラッチ爪５４による干渉を受けずに円滑に開始される。ラッチ爪５４がガイドレール４３に当たったときに負荷がかかって電池パック５０の姿勢が不安定となり易い。しかし、ラッチ爪５４がガイドレール４３のＹ２方向の端に当たるのは、ガイド溝５３がガイドレール４３に嵌合して電池パック５０のＺ１−Ｚ２方向の位置が規制された状態となってからであり、ラッチ爪５４がガイドレール４３に当たって負荷がかかった場合にも電池パック５０の姿勢は不安定とはならず、電池パック５０の装着は円滑に行われる。
【００５９】
また、装着されている電池パック５０を携帯型のパソコン３０の本体部３１から取り外す操作は、携帯型のパソコン３０を図４（Ａ）に示す裏返した姿勢とし、操作者が左右の手の指で左右のノブ５９−１，５９−２を中央側に移動させ、この状態で、左右の手の指をＹ２方向に移動させることによって行う。ここで、電池パック５０の下面は収容してある電池の形状に沿う凸形状の膨らみ部６０を有しており、指が膨らみ部６０に引っかかり、力をかけ易く、電池パック５０は取り外す操作は円滑に行われる。
【００６０】
なお、図３に示すように、電池パック５０が装着されている状態で、操作者が左右の手で本体部３１の左右側を掴んで携帯型のパソコン３０を持ち上げた場合に、電池パック５０の上面に当たっている親指は電池パック５０をＺ２方向に押すことになる。このため、電池パック５０はＺ２方向に凸となるように撓まされ、場合によっては、コネクタ５１とコネクタ３９との接続が不安定となってしまう。
【００６１】
そこで、以下の対策が講じてある。図８（Ｂ）に示すように、電池パック５０のコネクタ５１の両側には、バッテリーチャージャ（図示せず）を使用して充電を行う場合に、バッテリーチャージャのコネクタ（図示せず）の爪部（図示せず）が嵌合する凹部６１−１，６１−２が形成してある。図８（Ａ）に示すように、本体部３１の電池パック収容部３７には、コネクタ５０の両側に、凸部６２−１，６２−２が形成してある。電池パック５０が装着されている状態で、凸部６２−１，６２−２が夫々凹部６１−１，６１−２に嵌合している。このため、図３に示す状態で、操作者が左右の手で本体部３１の左右側を掴み、電池パック５０の上面に当たっている親指をＺ２方向に押す動作を行ったとしても、電池パック５０は撓むことを制限される。よって、コネクタ５１とコネクタ５０との接続は不安定とならず、安定な状態を維持する。
【００６２】
ここで、本体部３１に形成されているのは、凸部６２−１，６２−２であり、凹部ではない。よって、本体部３１の内部の空間を少しも狭めない。
【００６３】
次に、本発明の別の実施例になる電池パック装着構造について説明する。
【００６４】
本実施例になる電池パック装着構造は、上記の電池パック装着構造において、ガイドレールとガイド溝とを逆の関係としたものである。即ち、ガイドレールを電池パックに設け、ガイド溝を電池パック収容部に設けた構成である。図９及び図１０中、図５、図６、図７に示す構成部分と対応する構成部分には添え字「Ａ」を付した同じ符号を付す。
【００６５】
図９（Ｂ）及び図１０（Ａ）に示すように、本体部３１Ａの電池パック収容部３７Ａの端の壁４２には、ガイド溝１００がＹ１−Ｙ２方向に延在して形成してある。ガイド溝１００のＹ１方向の端の近くには、ガイド溝１００を埋める凸部１０１が形成してある。１０２は、凸部１０１よりＹ１方向側の溝部である。凸部１０１及び溝部１０２がラッチ掛け部を構成する。
【００６６】
図９（Ａ）及び図１０（Ａ）に示すように、電池パック５０Ａの端面５２Ａには、ガイドレール１１０がＹ１−Ｙ２方向に延在して形成してあり、且つラッチ爪１１１が設けてある。ラッチ爪１１１は、ガイドレール１１０のＹ１側にガイドレール１１０と整列して設けてある。
【００６７】
電池パック５０Ａを装着する操作は、前記の電池パック５０の場合と同じく、図１０（Ａ）に示すように、操作者が手で電池パック５０Ａを掴み、電池パック収容部３７Ａに対向させ、Ｙ１方向にガツンと止まる位置まで押す操作をすることによって行われる。
【００６８】
この操作によって、ラッチ爪１１１及びガイドレール１１０がガイド溝１００に嵌合されて案内されてＹ１方向に挿入され、図１０（Ｂ）に示すように、ラッチ爪１１１が凸部１０１を乗り越えて、溝部１０２に嵌合して掛け止めされて装着が完了する。
【００６９】
なお、ラッチ爪１１１が凸部１０１を乗り越えるのは、電池パック５０Ａが電池パック収容部３７Ａ内に深く挿入された段階である。このときにガイドレール１１０がガイド溝１００に十分に嵌合されており、ラッチ爪１１１が凸部１０１に当たったときに負荷がかかっても電池パック５０Ａの姿勢は不安定とはならない。また、操作者の手に負荷がかかるのは、電池パック５０Ａを電池パック収容部３７Ａ内に深く挿入した段階であり、それまでは、操作者の手に負荷は感じない。よって、電池パック５０Ａの電池パック収容部３７Ａ内への装着は円滑に行われる。
【００７０】
図１０（Ａ）、（Ｂ）から分かるように、ラッチのための機構のスペースは、本体部３１Ａについてみると、ガイド溝１００の深さ寸法ｅの範囲内にとどまっている。よって、張り出し部４１Ａの内部には、ガイド溝１００以外の突き出しはなく、張り出し部４１Ａの内部には広い空間１０３が形成されている。
【００７１】
電池パック５０Ａについてみると、ラッチのための機構のスペースは、ガイドレール１１０の突き出し寸法ｆの範囲内にとどまっている。端面５２Ａを形成する壁１１２から電池パック５０Ａの内部空間内への突き出しはない。よって、電池パック５０Ａ内に組み込まれる電池の大きさが同じであれば、電池パック５０ＡのＸ１−Ｘ２方向の寸法は、上記の電池パック５０に比べて短くなる。
【００７２】
また、本発明の要部をなす装着構造は、電池パックに限らず、携帯型のパソコンのベイに挿入されて装着される拡張ユニット等にも適用可能である。
（付記１）
ガイド溝とガイドレールとが嵌合し、ラッチ爪がラッチ掛け部に係合して、着脱ユニットが収容部に装着される情報処理装置であって、上記情報処理装置の収容部は、ガイドレールと、該ガイドレールの突き出し範囲内に形成されたラッチ掛け部と、を備えることを特徴とする情報処理装置。
（付記２）
ガイド溝とガイドレールとが嵌合し、ラッチ爪がラッチ掛け部に係合して、着脱ユニットが収容部に装着される情報処理装置であって、上記情報処理装置の収容部は、ガイド溝と、該ガイド溝の深さ範囲内に形成されたラッチ掛け部と、を備えることを特徴とする情報処理装置。
（付記３）
付記１記載の情報処理装置であって、上記ラッチ掛け部を上記ガイドレールの途中に備えたこと、を特徴とする情報処理装置。
（付記４）
付記２記載の情報処理装置であって、上記ラッチ掛け部を上記ガイド溝の内部に備えたこと、を特徴とする情報処理装置。
（付記５）
ガイド溝とガイドレールとが嵌合し、ラッチ爪がラッチ掛け部に係合して、着脱ユニットが収容部に装着され、該着脱ユニットに備えられたコネクタが該収容部に備えられたコネクタと接続されて装着される情報処理装置であって、上記情報処理装置は、情報処理装置に備えられたコネクタの両側に、上記着脱ユニットの着脱ユニット側コネクタの両側に形成してある凹部に嵌合する凸部を有すること、を特徴とする情報処理装置。
（付記６）
情報処理装置のラッチ掛け部を有する収容部に挿入されて装着される着脱ユニットにおいて、ラッチ爪をラッチ掛け部から抜け出させる操作を行うノブの近傍に膨らみ部を有する構成としたことを特徴とする着脱ユニット。
（付記７）
情報処理装置のガイドレール及びラッチ掛け部を有する収容部に挿入されて装着される着脱ユニットにおいて、ラッチ掛け部に係合するラッチ爪を、上記ガイドレールに嵌合するガイド溝の内部に有する構成としたことを特徴とする着脱ユニット。
（付記８）
情報処理装置に備えられた、ガイド溝及びラッチ掛け部を有する収容部に挿入されて装着される着脱ユニットであって、ラッチ掛け部に係合するラッチ爪を、上記ガイド溝に嵌合するガイドレールの、該着脱ユニットを上記収容部へ挿入する場合の進行方向側に備えること、を特徴とする着脱ユニット。
（付記９）
ガイド溝とガイドレールとが嵌合し、ラッチ爪がラッチ掛け部に係合して、着脱ユニットが情報処理装置の収容部に挿入されて装着される構造において、上記着脱ユニットは、ガイド溝及びラッチ爪を有し、上記情報処理装置の収容部は、ガイドレール及びラッチ掛け部を有し、該ラッチ掛け部は、該ガイドレールの突き出し範囲内に形成してある構成であることを特徴とする着脱ユニットの情報処理装置への装着構造。
（付記１０）
ガイド溝とガイドレールとが嵌合し、ラッチ爪がラッチ掛け部に係合して、着脱ユニットが情報処理装置の収容部に挿入されて装着される構造において、上記着脱ユニットは、ガイドレール及びラッチ爪を有し、上記情報処理装置の収容部は、ガイド溝及びラッチ掛け部を有し、該ラッチ掛け部は、該ガイド溝の深さ範囲内に形成してある構成であることを特徴とする着脱ユニットの情報処理装置への装着構造。
（付記１１）
ガイド溝とガイドレールとが嵌合し、ラッチ爪がラッチ掛け部に係合して、着脱ユニットが情報処理装置の収容部に挿入され、該着脱ユニットのコネクタが該収容部内のコネクタと接続されて装着される構造において、上記情報処理装置は、情報処理装置側コネクタの両側に、上記着脱ユニットの着脱ユニット側コネクタの両側に形成してある凹部に嵌合する凸部を有する構成であることを特徴とする着脱ユニットの情報処理装置への装着構造。
【符号の説明】
【００７３】
３０ 携帯型のパソコン
３１ 本体部
３４ 液晶表示部
３７ 電池パック収容部
３９，５１ コネクタ
４０，４１ 張り出し部
４２ 壁
４３ ガイドレール
４４ ラッチ凹部
５０ 電池パック
５３ ガイド溝
５４ ラッチ爪
６１−１，６１−２ 凹部
６２−１，６２−２ 凸部
１００ ガイド溝
１０１ 凸部
１０２ 溝部
１１０ ガイドレール
１１１ ラッチ爪
【図１】
2010157255.tif 000003
【図２】
2010157255.tif 000004
【図３】
2010157255.tif 000005
【図４】
2010157255.tif 000006
【図５】
2010157255.tif 000007
【図６】
2010157255.tif 000008
【図７】
2010157255.tif 000009
【図８】
2010157255.tif 000010
【図９】
2010157255.tif 000011
【図１０】
2010157255.tif 000012